【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
発電プラントであって、
ＡＣバスに結合されたＡＣ発電機と、
前記ＡＣバスおよびＤＣバスに結合された第１のＡＣ／ＤＣコンバータと、
第２のＡＣ／ＤＣコンバータに結合されたＡＣ負荷であって、前記第２のＡＣ／ＤＣコンバータは、前記ＤＣバスに結合されている、ＡＣ負荷と、
アクティブ電力補償システムと
を備え、
前記アクティブ電力補償システムは、
第１のＤＣ／ＤＣコンバータに結合された少なくとも１つの電力消費デバイスであって、前記第１のＤＣ／ＤＣコンバータは、前記ＤＣバスに結合されている、少なくとも１つの電力消費デバイスと、
前記ＤＣバスに結合された第２のＤＣ／ＤＣコンバータに結合された少なくとも１つのエネルギー貯蔵デバイスと
を含み、
前記ＡＣ負荷は、くみ上げ機械を含み、前記くみ上げ機械は、第１のモードで起動される場合、前記ＡＣ発電機から電力を要求し、第２のモードで起動される場合、前記ＤＣバスに戻される電力を生成し、
前記アクティブ電力補償システムは、
前記くみ上げ機械の前記第１のモードでの起動に部分的に起因して前記ＡＣ発電機の電力出力が前記発電プラントの電力消費より低い場合、前記少なくとも１つのエネルギー貯蔵デバイスから前記ＤＣバスに電力を送達することであって、前記発電プラントの電力消費は、前記ＡＣ負荷の電力消費を含む、ことと、
前記くみ上げ機械の前記第２のモードでの起動または前記くみ上げ機械の停止のいずれかに部分的に起因して前記ＡＣ発電機の電力出力が前記発電プラントの電力消費より高い場合、前記ＡＣ発電機の最も効率的な動作領域において前記ＡＣ発電機の出力をほぼ一定に維持するために、前記少なくとも１つの電力消費デバイスを用いて電力を消費することと
によって、前記発電プラント内の電力負荷変動を低減する、発電プラント。
【請求項２】
前記少なくとも１つの電力消費デバイスは、レジスタを含む、請求項１に記載の発電プラント。
【請求項３】
前記少なくとも１つのエネルギー貯蔵デバイスのうちの１つは、ウルトラキャパシタ、キャパシタ、バッテリ、または、フライホイールである、請求項１に記載の発電プラント。
【請求項４】
前記少なくとも１つのエネルギー貯蔵デバイスは、１つ以上のマイクロコントローラに結合され、前記１つ以上のマイクロコントローラは、前記少なくとも１つのエネルギー貯蔵デバイスを調節する、請求項３に記載の発電プラント。
【請求項５】
発電プラント内のＡＣ発電機にかかる電力負荷の変動を低減させる方法であって、
前記ＡＣ発電機にかかる電力負荷が第１のレベルよりも低い間、前記ＡＣ発電機と少なくとも１つの電力消費デバイスとの間で電力をルーティングすることにより、前記ＡＣ発電機の最も効率的な動作領域において前記ＡＣ発電機の実質的に一定の電力出力を維持することと、
くみ上げ機械を第１のモードで起動することであって、前記第１のモードは、前記くみ上げ機械に前記ＡＣ発電機にかかるＡＣ負荷を増加させて、前記ＡＣ発電機にかかる前記負荷に第２のレベルを超えさせる、ことと、
前記ＡＣ発電機にかかる電力負荷が前記第２のレベルよりも高い間、少なくとも１つのエネルギー貯蔵デバイスと前記ＡＣ負荷との間で電力をルーティングすることにより、前記ＡＣ発電機の最も効率的な動作領域において前記ＡＣ発電機の実質的に一定の電力出力を維持することであって、前記電力は、前記少なくとも１つのエネルギー貯蔵デバイスからＤＣバスを通して前記ＡＣ負荷にルーティングされる、ことと
を含む、方法。
【請求項６】
前記少なくとも１つのエネルギー貯蔵デバイスは、ウルトラキャパシタ、キャパシタ、バッテリ、または、フライホイールである、請求項５に記載の方法。
【請求項７】
前記第２のレベルは、部分的に、前記ＡＣ発電機の燃料効率に基づく、請求項５に記載の方法。
【請求項８】
前記発電プラントにかかる電力負荷が、第３のレベルより低い間、前記ＡＣ発電機と前記少なくとも１つのエネルギー貯蔵デバイスとの間で電力をルーティングすることをさらに含み、前記第３のレベルは、前記第１のレベルより低く、前記エネルギー貯蔵デバイスは、前記発電プラントからのエネルギーを貯蔵することにより、前記ＡＣ発電機の最も効率的な動作領域において前記ＡＣ発電機の実質的に一定の電力出力を維持する、請求項６に記載の方法。
【請求項９】
前記第３のレベルは、部分的に、前記ＡＣ発電機の燃料効率に基づいて選択される、請求項８に記載の方法。
【請求項１０】
発電プラントであって、
前記発電プラントのＡＣ電力負荷を満たすＡＣ電力を生成する手段と、
くみ上げ機械の起動および停止に起因して前記発電プラントの電力負荷の変動を低減させる手段と
を備え、
前記変動を低減させる手段は、
前記くみ上げ機械の起動の結果として、前記生成する手段の電力出力がＡＣ負荷の電力需要より低い場合に、ＤＣバスを通して前記ＡＣ負荷に電力を送達する手段と、
前記くみ上げ機械の停止に起因して前記生成する手段にかかる前記ＡＣ負荷が低下する場合に、電力を消費して前記ＡＣ発電機の最も効率的な動作領域において前記生成する手段のほぼ一定の出力を維持する電力消費デバイスと
を備える、発電プラント。
【請求項１１】
前記変動を低減させる手段は、エネルギーを貯蔵する手段をさらに備えている、請求項１０に記載の発電プラント。
【請求項１２】
掘削装置であって、
配電盤に結合されたＡＣ発電機であって、前記配電盤はＡＣバスに結合されている、ＡＣ発電機と、
前記ＡＣバスおよびＤＣバスに結合された第１のＡＣ／ＤＣコンバータと、
第２のＡＣ／ＤＣコンバータに結合されたＡＣ負荷であって、前記第２のＡＣ／ＤＣコンバータは、前記ＤＣバスに結合されている、ＡＣ負荷と、
前記ＡＣバスに結合された電力消費デバイスと、
前記ＤＣバスに結合されたＤＣ負荷と、
アクティブ電力補償システムと
を備え、
前記アクティブ電力補償システムは、
第１のＤＣ／ＤＣコンバータに結合された少なくとも１つの電力消費デバイスであって、前記第１のＤＣ／ＤＣコンバータは、前記ＤＣバスに結合されている、少なくとも１つの電力消費デバイスと、
前記ＤＣバスに結合された第２のＤＣ／ＤＣコンバータに結合された少なくとも１つのエネルギー貯蔵デバイスと
を含み、
前記ＡＣ負荷は、くみ上げ機械を含み、前記くみ上げ機械は、第１のモードで起動される場合、前記ＡＣ発電機から電力を要求し、第２のモードで起動される場合、前記ＤＣバスに戻される電力を生成し、
前記ＡＣ負荷は、推進機をさらに含み、
前記ＡＣ負荷は、照明を含み、
前記電力消費デバイスは、船舶負荷を含み、
前記アクティブ電力補償システムは、
前記くみ上げ機械の第１のモードでの起動に部分的に起因して前記ＡＣ発電機の電力出力が前記発電プラントの電力消費より低い場合、前記少なくとも１つのエネルギー貯蔵デバイスから前記ＤＣバスに電力を送達することであって、前記発電プラントの電力消費は、前記ＡＣ負荷の電力消費を含む、ことと、
前記くみ上げ機械の第２のモードでの起動に部分的に起因して前記ＡＣ発電機の電力出力が前記発電プラントの電力消費より高い場合、前記ＡＣ発電機の最も効率的な動作領域において前記ＡＣ発電機の出力をほぼ一定に維持するために、前記少なくとも１つの電力消費デバイスを用いて電力を消費することと
によって、前記発電プラント内の電力負荷変動を低減する、掘削装置。